(57)【要約】【課題】  積極的に見ようとする人が多くなり、注目される時間も長くなる、ウェルカムボードを提供する。【解決手段】  チェンジングウェルカムボードは、基材と、基材に重ね合わせたレンチキュラーレンズとを備える。基材のレンチキュラーレンズ側の面には、レンチキュラーレンズに対する視線の角度によって複数の表示画像１２，１４が選択的に見えるように、レンチキュラーレンズの並列に配置されたレンズ要素のピッチに対応して、合成画像が形成される。複数の表示画像１２，１４のいずれかに、催し物の主役に関する１又は２以上の写真やイラスト、催し物に関する文字情報の少なくとも一つが含まれる。【選択図】  図２
0003109444.tif 000002
【実用新案登録請求の範囲】
【請求項１】
催し物の会場の入口付近に設置されるチェンジングウェルカムボードであって、
基材と、
該基材に重ね合わせたレンチキュラーレンズとを備え、
前記基材の前記レンチキュラーレンズ側の面には、前記レンチキュラーレンズに対する視線の角度によって複数の表示画像が選択的に見えるように、前記レンチキュラーレンズの並列に配置されたレンズ要素のピッチに対応して、合成画像が形成され、
前記複数の表示画像のいずれかに、前記催し物の主役に関する１又は２以上の写真やイラスト、前記催し物に関する文字情報の少なくとも一つが含まれることを特徴とする、チェンジングウェルカムボード。
【請求項２】
前記表示画像は、予めデザインされたテンプレート画像に、前記催し物の主役に関する１又は２以上の写真やイラスト、前記催し物に関する文字情報の少なくとも一つがはめ込まれたことを特徴とする、請求項１に記載のチェンジングウェルカムボード。
【請求項３】
前記催し物が結婚披露パーティーであり、前記複数の表示画像のいずれかに新郎及び新婦の写真が含まれることを特徴とする、請求項１又は２に記載のチェンジングウェルカムボード。
【考案の詳細な説明】
【技術分野】
【０００１】
本考案は、チェンジングウェルカムボードに関する。
【背景技術】
【０００２】
パーティーなどの催し物会場の入口付近に、ウェルカムボードが設置されることがある。ウェルカムボードは、例えば催し物の名称・日時・会場やメッセージなどの文字情報を含む案内表示であり、一般に表示は固定されている。
【０００３】
特許文献１には、パーソナルコンピュータのモニターを用いて表示を自動切替えするウェルカムボードが提案されている。
【特許文献１】特開２００２−１２３１９１号公報
【考案の開示】
【考案が解決しようとする課題】
【０００４】
ウェルカムボードについて、演出効果を高め、来場者の関心を集めるたり、メッセージを伝えたりしたい場合がある。
【０００５】
従来の表示が固定された一般的なウェルカムボードでは、一度見れば直ちに表示の全てが分かってしまうため、短時間しか注目されない。
【０００６】
表示を自動切替えする場合、見る人の意識とは無関係に表示が切り替わる。そのため、関心をもって見てもらうためには、表示の見せ方などに特別な工夫が必要になる。
【０００７】
本考案は、かかる実情に鑑み、積極的に見ようとする人が多くなり、注目される時間も長くなる、ウェルカムボードを提供することである。
【課題を解決するための手段】
【０００８】
本考案は、上記課題を解決するために、以下のように構成したチェンジングウェルカムボードを提供する。
【０００９】
チェンジングウェルカムボードは、催し物の会場の入口付近に設置されるものである。チェンジングウェルカムボードは、基材と、該基材に重ね合わせたレンチキュラーレンズとを備える。前記基材の前記レンチキュラーレンズ側の面には、前記レンチキュラーレンズに対する視線の角度によって複数の表示画像が選択的に見えるように、前記レンチキュラーレンズの並列に配置されたレンズ要素のピッチに対応して、合成画像が形成される。前記複数の表示画像のいずれかに、前記催し物の主役に関する１又は２以上の写真やイラスト、前記催し物に関する文字情報の少なくとも一つが含まれる。
【００１０】
上記構成によれば、チェンジングウェルカムボードは、催し物に関する文字情報（催し物の名称・時・会場やメッセージなど）を表示する場合、案内表示として基本的な機能を発揮する。また、来場者の視線の動きによって、催し物の主役に関する１又は２以上の写真やイラストも表示される場合、来場者の注意を引きやすい。さらに、強制的に表示が切り替わるのではなく、来場者自身のチェンジングウェルカムボードに対する視線の角度によって、来場者に見える表示画像が変化するため、積極的に視線の角度を変えて見ようとする人が多くなり、注目される時間も長くなる。
【００１１】
好ましくは、前記表示画像は、予めデザインされたテンプレート画像に、前記催し物の主役に関する１又は２以上の写真やイラスト、前記催し物に関する文字情報の少なくとも一つがはめ込まれる。
【００１２】
この場合、テンプレート画像を利用することにより、演出効果を高めることができるチェンジングウェルカムボードを、比較的簡単に作製することができる。
【００１３】
好ましくは、チェンジングウェルカムボードは、前記レンチキュラーレンズの前記レンズ要素が垂直方向に延在するように設置される。チェンジングウェルカムボードは、Ａ４サイズ以上、Ａ０サイズ以下の大きさである。
【００１４】
チェンジングウェルカムボードをレンチキュラーレンズのレンズ要素が垂直方向に延在するように設置すると、例えば来場者が水平方向に移動するときに、来場者に見える表示画像が変化するので、来場者の注意を引きやすい。チェンジングウェルカムボードは、案内表示としての機能面からは一定サイズ（Ａ４サイズ）以上の大きさであることが好ましく、作製費用の面では一定サイズ（Ａ０サイズ）を越えないことが望ましい。
【００１５】
好ましくは、前記催し物が結婚披露パーティーであり、前記複数の表示画像のいずれかに、新郎及び新婦の写真が含まれる。
【００１６】
結婚披露パーティーでは、特に演出効果が高くなる。
【考案の効果】
【００１７】
本考案のチェンジングウェルカムボードは、積極的に見ようとする人が多くなり、注目される時間も長くなる。
【考案を実施するための最良の形態】
【００１８】
以下、本考案の実施の形態について実施例を、図１〜図６を参照しながら説明する。
【００１９】
図１に示すように、チェンジングウェルカムボード１０ａ，１０ｂは、パーティーなどの催し物の会場の入口２付近に設置される。チェンジングウェルカムボード１０ａ，１０ｂは、例えば、額縁１１ａ，１１ｂに入れ、イーゼル４を用いて適宜な高さに立てる。チェンジングウェルカムボード１０ａ，１０ｂは、壁面や衝立などに取り付けるようにしてもよい。チェンジングウェルカムボード１０ａ，１０ｂは、案内表示として、ある程度以上（Ａ４サイズ以上）の大きさであることが好ましい。チェンジングウェルカムボード１０ａ，１０ｂは、催し物の終了後に、記念に飾っておくこともできる。
【００２０】
図６に、チェンジングウェルカムボード１０の構成を示す。チェンジングウェルカムボード１０は、シート状の基材７にシート状のレンチキュラーレンズ８が接着されたものである。
【００２１】
基材７はベース板５に表示層６を備える。レンチキュラーレンズ８は、基材７の表示層６側に接着される。レンチキュラーレンズ８は、例えば蒲鉾型の細長いレンズ要素８ａが並列に配置されている。基材７の表示層６には、レンチキュラーレンズ８のレンズ要素８ａのピッチに対応して合成画像が形成され、レンチキュラーレンズ８に対する視線の角度によって複数の表示画像が選択的に見えるようになっている。表示層６に形成される合成画像は、複数の表示画像について、レンチキュラーレンズ８のレンズ要素８ａのピッチに対応して分割・変形された線状の画像要素が所定順序で並列に配置されたものである。
【００２２】
チェンジングウェルカムボード１０は、レンチキュラーレンズ８のレンズ要素８ａが延在する方向に対して直角方向に視線が動くと、表示画像の見え方が変化する。そのため、チェンジングウェルカムボードは、レンチキュラーレンズ８のレンズ要素８ａが垂直に延在するように設置し、来場者が水平方向に移動するときに、表示画像の見え方が変化するようにして、来場者の注意を引きやすくすることが好ましい。
【００２３】
チェンジングウェルカムボード１０を作製するための材料である基材７やレンチキュラーレンズ８は、一般に、Ａ０サイズ以下が規格品として比較的安価に提供されている。Ａ０サイズを超えると特注品となり高価になる。したがって、チェンジングウェルカムボード１０の大きさは、Ａ０サイズ以下であることが好ましい。
【００２４】
以下、結婚披露パーティー用のチェンジングウェルカムボードについて、図２〜図５を参照しながら具体例を説明する。
【００２５】
（具体例１）
図２は、２面チェンジングの例である。２つの表示画像１２，１４が、チェンジングウェルカムボードを見る角度によって切り替わる。図２（ａ）に示した一方の表示画像１２には、結婚披露パーティーに関する文字情報（新郎・新婦からのメッセージ、新郎・新婦の名前、日付）が含まれている。図２（ｂ）に示した他方の表示画像１４は、結婚披露パーティーの主役（新郎・新婦）の写真である。写真の代りに、似顔絵などのイラストを用いてもよい。
【００２６】
（具体例２）
図３は、３面チェンジングの例である。図３に示した表示画像２０，２８及びそれ以外の表示画像（不図示）が、チェンジングウェルカムボードを見る角度によって切り替わる。図３（ａ）に示した表示画像２０には、予めデザインされたテンプレート画像２１に、新郎・新婦の子供のときの写真２２，２４がはめ込まれている。図３（ｂ）に示した表示画像２８は、予めデザインされたテンプレート画像２５に、新郎・新婦の写真２６と、結婚披露パーティーに関する文字情報２７とがはめ込まれている。
【００２７】
（具体例３）
図４は、３Ｄの例である。画面に奥行きがあり、奥のものは沈んで見え、手前のものは浮いて見える。新郎・新婦の写真３４の上に、文字情報３２が浮かび上がったように見える。チェンジングウェルカムボード３０は、予めデザインされたテンプレート画像３１に、新郎・新婦の写真３４と、結婚披露パーティーに関する文字情報３２とがはめ込まれた立体的な画像を見せる。すなわち、見る角度によって、文字情報３２や写真３４の相対位置が異なり視差が生じる複数の表示画像が選択的に見える。
【００２８】
（具体例４）
図５は、ムービングの例である。画面をアニメーションのように動かし表現することができる。チェンジングウェルカムボードを見る角度をずらすと、表示画像５０〜５４が順に切り替わり、アルバムの表紙５６が動くように見える。表示画像５０〜５４は、それぞれ、予めデザインされたテンプレート画像に、結婚披露パーティーに関する文字情報５５と写真５７，５８とをはめ込んだものである。
【００２９】
次に、チェンジングウェルカムボードの作製手順の一例について説明する。
【００３０】
まず、新郎・新婦の写真や結婚披露パーティーに関する文字情報を含む表示画像のデータを作成する。これには、市販の画像処理ソフトを用いることができる。このとき、予めデザインしたテンプレート画像に、新郎・新婦の写真やイラスト、結婚披露パーティーに関する文字情報をはめ込むようにすれば、表示画像のデータ作成が容易になる。
【００３１】
次に、１枚のチェンジングウェルカムボードに表示する複数の表示画像のデータをもとに、基材７の表示層６に形成する合成画像のデータを作成する。これには、例えばレンチキュラーレンズ８の供給元から入手可能な専用ソフトウエアを用いれば、表示画像のデータを入力することにより、レンチキュラーレンズ８のレンズ要素８ａのピッチに対応したチェンジング、３Ｄ、ムービング用の合成画像のデータを容易に作成することができる。
【００３２】
次に、合成画像のデータをもとに、例えばインクジェットプリントにより、基材７の表示層６に合成画像を形成する。
【００３３】
次に、合成画像を形成した基材７の所定位置にレンチキュラーレンズ８を重ね、ラミネータで加熱・加圧することにより、基材７にレンチキュラーレンズ８を熱圧着する。これにより、チェンジングウェルカムボードが完成する。
【００３４】
以上に説明したチェンジングウェルカムボードは、来場者自身のチェンジングウェルカムボードに対する視線の角度によって、来場者に見える表示画像が変化するため、注意を引きやすい上、例えば立ち止って体を傾けるなどして別の表示画像を積極的に見ようとする人が多くなり、注目される時間も長くなる。
【００３５】
なお、本考案は、上記実施例に限定されるものではなく、種々変更を加えて実施可能である。
【００３６】
例えば、本考案のチェンジングウェルカムボードは、結婚披露パーティーに特に好適に用いることができるが、これに限らず、その他のパーティー、イベント、展示会などにも用いることが可能である。
【図面の簡単な説明】
【００３７】
【図１】チェンジングウェルカムボードの使用状態を示す概念図である。
【図２】表示画像の説明図である。（具体例１）
【図３】表示画像の説明図である。（具体例２）
【図４】表示画像の説明図である。（具体例３）
【図５】表示画像の説明図である。（具体例４）
【図６】チェンジングウェルカムボードの構成を示す説明図である。
【符号の説明】
【００３８】
２  入口
７  基材
８  レンチキュラーレンズ
８ａ  レンズ要素
１０，１０ａ，１０ｂ  チェンジングウェルカムボード
１２，１４  表示画像
２０，２８  表示画像
２１  テンプレート画像
２２，２４  写真
２５  テンプレート画像
２６  写真
２７  文字情報
３０  チェンジングウェルカムボード
３２  文字情報
３４  写真
５１〜５４  表示画像
５５  文字情報
５７，５８  写真
【図１】
0003109444.tif 000003
【図２】
0003109444.tif 000004
【図３】
0003109444.tif 000005
【図４】
0003109444.tif 000006
【図５】
0003109444.tif 000007
【図６】
0003109444.tif 000008